(57)【要約】【課題】フレキシブル配線基板の破断を抑制し、信頼性の向上した表示装置を提供する。【解決手段】下部基板１１の配線領域１３にはフレキシブル配線基板１７が配設され、このフレキシブル配線基板１７と電極１４とがＡＣＦ１９を介して電気的に接続されている。フレキシブル配線基板１７の表面にフレキシブル配線基板１７を間にしてＡＣＦ１９を覆うように補強材１５が設けられている。これによりフレキシブル配線基板１７の曲げを小さくし、破断を抑制することができる。【選択図】図１
2012083492.tif 000002
【特許請求の範囲】
【請求項１】
対向配置された第１基板および第２基板を有し、前記第２基板に前記第１基板より
幅広の配線領域を有する表示セルと、
裏面側の少なくとも一部が前記配線領域に対向するように配置された配線基板と、
前記配線基板と前記表示セルとを電気的に接続する圧着材と、
少なくとも前記配線基板の表面に設けられ、前記配線基板を間にして前記圧着材を
覆う補強材と
を備えた表示装置。
【請求項２】
前記補強材は、前記配線基板の表面から前記第配線基板の側面を介して前記配線領域の少なくとも一部まで連続して設けられている
請求項１に記載の表示装置。
【請求項３】
前記配線基板の裏面に保護材が設けられ、
前記配線基板を間にして、前記補強材が設けられた領域と前記保護材が設けられた領域との少なくとも一部が重なる
請求項１に記載の表示装置。
【請求項４】
前記第１基板の表面側に前面板を有し、
前記第１基板と前記前面板との間に設けられた接着材と前記補強材とが同一材料から構成されている
請求項１に記載の表示装置。
【請求項５】
前記補強材は、前記配線基板の表面から前記第１基板の側面を介し前記第１基板の
表面まで連続して設けられている
請求項４に記載の表示装置。
【請求項６】
前記配線領域に防湿材を有し、
前記補強材は、前記防湿材を覆っている
請求項１に記載の表示装置。
【請求項７】
前記配線基板はフレキシブル配線基板である
請求項１乃至６のいずれか１項に記載の表示装置。
【発明の詳細な説明】
【技術分野】
【０００１】
本発明は、配線基板が接続された表示セルを有する表示装置に関する。
【背景技術】
【０００２】
一般に液晶表示装置等の表示装置は、表示セルの駆動のためにフレキシブル配線基板などの配線基板が使用されており（例えば、特許文献１）、近年の表示装置の高精細化に伴い、この配線基板の配線も微細化が進んでいる。
【先行技術文献】
【特許文献】
【０００３】
【特許文献１】特開２００５−１２２０７８号公報
【発明の概要】
【発明が解決しようとする課題】
【０００４】
しかしながら、このような配線基板の配線が微細化すると配線幅が細くなり、破断のリスクが高まる。配線基板の破断は、表示セル駆動時の温度上昇により、配線基板の接続部に局所的に発生する曲げ応力が原因で生じる。
【０００５】
本発明はかかる問題点に鑑みてなされたもので、その目的は、配線基板の破断を抑制し、信頼性の向上した表示装置を提供することにある。
【課題を解決するための手段】
【０００６】
本発明の表示装置は、対向配置された第１基板および第２基板を有し、第２基板に
第１基板より幅広の配線領域を有する表示セルと、裏面側の少なくとも一部が配線領域に対向するように配置された配線基板と、配線基板と表示セルとを電気的に接続する圧着材と、少なくとも配線基板の表面に設けられ、配線基板を間にして圧着材を覆う補強材とを備えたものである。
【０００７】
この表示装置では、配線基板の表面の補強材が圧着材を覆うように設けられている
ため、配線基板での曲げの発生、延いては配線基板の破断が抑制される。
【発明の効果】
【０００８】
本発明の表示装置によれば、補強材を配線基板の表面に設け、この補強材が配線基
板を間にして圧着材を覆うようにしたので、配線基板に生じる曲げを小さくし、配線基板の破断を抑制することができる。よって、表示装置の信頼性を向上させることが可能となる。
【図面の簡単な説明】
【０００９】
【図１】本発明の第１の実施の形態に係る表示装置の構成を表す側断面図である。
【図２】図１に示した表示装置の構成を表す平面図である。
【図３】図１に示した表示装置の構成を表す斜視図である。
【図４】配線基板において破断が生じる原因を説明するための模式図である。
【図５】図１に示した表示装置において補強材の濡れ性が高い場合の側断面図である。
【図６】変形例１に係る表示装置の構成を表す側断面図である。
【図７】変形例２に係る表示装置の構成を表す側断面図である。
【図８】従来の表示装置の構成を表す側断面図である。
【図９】本発明の第２の実施の形態に係る表示装置の構成を表す側断面図である。
【図１０】図９に示した表示装置において補強材の濡れ性が高い場合の側断面図である。
【図１１】図９に示した表示装置が防湿材を有する場合の側断面図である。
【図１２】図９に示した表示装置が防湿材を有し、かつ補強材の濡れ性が高い場合の側断面図である。
【図１３】図９に示した表示装置の他の例を説明するための図である。
【図１４】図９に示した表示装置の更に他の例を説明するための図である。
【発明を実施するための形態】
【００１０】
以下、本発明の実施の形態について、図面を参照して詳細に説明する。なお、説明
は以下の順序で行う。
１．第１の実施の形態
配線基板の表面に補強材を有する表示装置
２．変形例１
配線基板の保護材と圧着材との間に間隙を有する表示装置
３．変形例２
防湿材を有する表示装置
４．第２の実施の形態
前面板を有する表示装置
【００１１】
＜第１の実施の形態＞
［表示装置１の構成］
図１は、本発明の第１の実施の形態に係る表示装置１の概略構成を示す要部側断面
図である。図２は表示装置１の構成を表す平面図、図３（Ａ）は表示装置１の構成を表す斜視図、図３（Ｂ）は図３（Ａ）のフレキシブル配線基板１７（配線基板）による表示セル１０と取付基板４０との接続部分を拡大した図である。
【００１２】
図３に示したように表示装置１は表示セル１０を有しており、この表示セル１０の裏面側（背面側）にはバックライトユニット３０が配置されている。表示セル１０には、配線基板、例えばフレキシブル配線基板１７の一端側が接続されている。更に、このフレキシブル配線基板１７の他端は取付基板４０に接続されている。例えばこのフレキシブル配線基板１７に実装されたデータドライバＩＣ（Integrated Circuit）（図示せず）および別のフレキシブル配線基板（図示せず）に実装されたゲートドライバＩＣ（図示せず）から供給される信号により表示セル１０が駆動され、映像表示を行うようになっている。なお、これらデータドライバＩＣおよびゲートドライバＩＣの実装位置は上記構成に限定されるものではなく、表示セル１０上に実装するようにしてもよく、また、表示セル１０内に該当する機能を持たせるようにしてもよい。
【００１３】
（表示セル）
図１に示したように表示セル１０は、裏面側（背面側）の下部基板１１（第２基板）と表面側（表示側）の上部基板１２（第１基板）とを対向配置したものであり、これら下部基板１１と上部基板１２との間に液晶層（図示せず）を備えている。下部基板１１の面積は上部基板１２より大きくなっており、この下部基板１１の拡幅領域が配線領域１３となっている。この配線領域１３は下部基板１１の一カ所でもよいが、複数箇所に設けられていてもよい。配線領域１３は例えば約２ｍｍの幅を有している。配線領域１３には電極１４が設けられており、この電極１４に対してフレキシブル配線基板１７がＡＣＦ（Anisotropic Conductive Film;異方性導電膜）１９（圧着材）を介して電気的に接続されている。フレキシブル配線基板１７を通じて供給される信号が、この電極１４を通じ各画素に供給されるようになっている。ＡＣＦ１９は例えば１００μｍの厚さで形成される。下部基板１１の裏面側および上部基板１２の表面側には偏光板（図示せず）が貼り合わされている。
【００１４】
下部基板１１および上部基板１２は、例えばガラス基板やアクリル板等の透明な基板からなる。ガラス基板の表面にはアルカリイオンの浸透を防止するために保護膜を設けてもよい。上部基板１２の裏面側、即ち下部基板１１との対向面には、例えばカラーフィルタおよびブラックマトリックスが形成されている（図示せず）。カラーフィルタおよびブラックマトリックスは下部基板１１に形成してもよい。
【００１５】
（フレキシブル配線基板）
フレキシブル配線基板１７は、裏面側の一部が下部基板１１と対向するように配置
されている。フレキシブル配線基板１７は、フレキシブルなフィルム基材の裏面（下部基板１１との対向面）に配線パターンとしての例えばＣｕ（銅）箔が形成され、例えばデータドライバＩＣ（図示せず）が実装されている（ＣＯＦ（Chip on film））。フレキシブル配線基板１７の厚みは例えば３７．５μｍ程度である。
【００１６】
フレキシブル配線基板１７の配線パターンはソルダーレジスト２０（保護材）によ
り保護されている。表示セル１０と取付基板４０との接続のため、ソルダーレジスト２０は、フレキシブル配線基板１７の両末端部分を露出させるように設けられている。フレキシブル配線基板１７の裏面では、ソルダーレジスト２０とＡＣＦ１９とが一部重なっている。即ち、フレキシブル配線基板１７の裏面はソルダーレジスト２０とＡＣＦ１９との間に間隙がない状態となっている。
【００１７】
（補強材）
補強材１５は、図１に示したようにフレキシブル配線基板１７の表面に、フレキシブル配線基板１７を間にしてＡＣＦ１９を覆う状態で設けられている。この補強材１５は例えば２０〜５００μｍ程度の厚さでフレキシブル配線基板１７に塗布される。後述のように、補強材１５は、フレキシブル配線基板１７の表面に滴下して形成するため、フレキシブル配線基板１７の表面からフレキシブル配線基板１７の側面を介して下部基板１１の配線領域１３の一部まで連続して設けられる。換言すれば、補強材１５はフレキシブル配線基板１７の表面に設けられると共に、フレキシブル配線基板１７，下部基板１１，上部基板１２およびＡＣＦ１９により形成された間隙を埋めるように設けられている。
【００１８】
ここで、図４を用いてフレキシブル配線基板１１７に破断が生じる原因について説明する。図４（Ａ）は表示セル１１０とフレキシブル配線基板１１７との接続部分の平面図、図４（Ｂ）は表示セル１１０とフレキシブル配線基板１１７との接続部分の側面図である。なお、図４では表示装置１に対応する部位に１００番台の符号を付す。
【００１９】
表示セル１１０を駆動すると、駆動時の温度上昇により表示セル１１０を構成する
各部材，フレキシブル配線基板１１７および取付基板１４０（図示せず）に熱膨張が生じる。各部位の熱膨張係数の違い等に由来する熱膨張量の差から、図４（Ａ）および図４（Ｂ）に示したように下部基板１１１，フレキシブル配線基板１１７および取付基板１４０（図示せず）の位置関係が変化し、ＡＣＦ１１９によるフレキシブル配線基板１１７の圧着部に局所的な曲げが生じる。そして、表示セル１１０の駆動サイクルに伴う加熱および冷却の繰り返しにより局所的な応力集中が生じ、フレキシブル配線基板１１７の配線パターンに疲労が蓄積する。この疲労の蓄積により破断に至る。
【００２０】
一般的に弾性率が高いほどたわみにくく、また、同じ弾性率であるなら厚みの大き
いものほどたわみにくいことが知られている。フレキシブル配線基板のベースフィルムや金属薄膜の膜厚を厚くすることによりフレキシブル配線基板の強度を高め、破断を防止することは可能であるが、この手法ではコスト増となる。
【００２１】
上述のように、フレキシブル配線基板１７で最も応力が集中するのは、ＡＣＦ１９
により圧着され、フレキシブル配線基板１７が固定されている部分である。本実施の形態では、フレキシブル配線基板１７の表面にＡＣＦ１９を覆うように補強材１５を設けることにより、フレキシブル配線基板１７の弾性率を変化させ曲率を緩和させる。即ち、フレキシブル配線基板１７に生じる曲げの変位量を小さくし、破断を抑制することができる。
【００２２】
補強材１５としては例えば安価な樹脂材料を用いることができ、コスト増を抑制しつつフレキシブル配線基板１７の破断を防止することができる。補強材１５に使用する樹脂材料は、紫外線硬化性樹脂でもよく、可視光硬化樹脂でもよい。光硬化性樹脂であれば、フレキシブル配線基板１７の表面に広範囲にわたり形成された樹脂組成物を短時間で硬化することができる。
【００２３】
補強材１５は、アクリレート系樹脂，エポキシ系樹脂あるいはシリコン樹脂を含むことが好ましく、これらを混合して使用してもよい。
【００２４】
上記のような補強材１５として例えば、ポリマー，モノマーおよび光重合開始剤か
らなる樹脂材料を用いることができる。ポリマーとしては、例えばポリウレタンアクリレート，テルペン系水素添加樹脂，ブタジエン重合体，ポリイソプレン系アクリレートおよびそのエステル化合物等からなる群のうちの１種以上、モノマーとしては、例えばイソボルニルアクリレート，ジシクロペンテニルオキシエチルメタクリレートおよび２−ヒドロキシブチルメタクリレート等からなる群のうちの１種以上、光重合開始剤としては、例えば１−ヒドロキシ−シクロヘキシル−フェニル−ケトン（商品名  ＩＲＧＡＣＵＲＥ１８４：イルガキュア１８４（商標），チバ・スペシャリティ・ケミカルズ（株）製）または２, ２−ジメトキシ−１, ２−ジフェニルエタン−１−オン（商品名  ＩＲＧＡＣＵＲＥ６５１：イルガキュア６５１（商標），チバ・スペシャリティ・ケミカルズ（株）製）を含有する。樹脂材料をこのような構成にすることにより、紫外線照射で補強材１５が形成される。また、光重合開始剤として２−ベンジル−２−ジメチルアミノ−１−（４−モルフォリノフェニル）−ブタノン−１（商品名  ＩＲＧＡＣＵＲＥ３６９：イルガキュア３６９（商標），チバ・スペシャリティ・ケミカルズ（株）製），ビス（２，４，６−トリメチルベンゾイル）−フェニルフォスフィンオキサイド（商品名  ＩＲＧＡＣＵＲＥ８１９：イルガキュア８１９（商標），チバ・スペシャリティ・ケミカルズ（株）製）またはジフェニル（２，４，６−トリメチルベンゾイル）ホスフィンオキシド（商品名  ＳｐｅｅｄＣｕｒｅＴＰＯ（商標），日本シイベルヘグナー（株）製）を用いると、可視光領域の光照射でも硬化を行うことができる。
【００２５】
また、補強材１５に熱硬化性樹脂を使用してもよい。熱硬化性樹脂を用いると、例
えば光照射により硬化させる樹脂では、遮光される部分が存在する場合であっても均一に硬化を行うことができる。
【００２６】
補強材１５に、熱硬化性樹脂として例えばエスドリマー／ＥＳＤＲＩＭＥＲ（商
標），新日鉄化学（株）製を用いることができる。光硬化性樹脂と熱硬化性樹脂とを適宜混合して用いてもよい。なお、エスドリマー／ＥＳＤＲＩＭＥＲ（商標）（新日鉄化学  （株）製）も光硬化性樹脂と熱硬化性樹脂とを混合したものである。
【００２７】
補強材１５を構成する樹脂組成物は濡れ性が高いことが好ましい。図５に補強材１
５を濡れ性の高い樹脂組成物により構成した場合の表示装置１の側断面図を示した。補強材１５が樹脂材料からなるとき、フレキシブル配線基板１７の表面に塗布された樹脂組成物はその濡れ性によりフレキシブル配線基板１７に拡散していく。補強材１５を構成する樹脂組成物の濡れ性が高ければ、塗布量および塗布位置が容易に制御でき、フレキシブル配線基板１７の表面を広範囲に亘り覆うことが可能となる。
【００２８】
また、補強材１５に使用する樹脂材料の濡れ性があまり高くない場合であっても、
フレキシブル配線基板１７の表面に界面活性剤等で表面処理を施すことにより、補強材１５をフレキシブル配線基板１７に広範囲に亘り設けることができる。
【００２９】
他、防湿性接合剤１５としては、以下の条件を備えていることが好ましい。
【００３０】
フレキシブル配線基板１７に曲げ等が生じた場合に、補強材１５がフレキシブル配
線基板１７から簡単に剥がれることのないよう補強材１５はフレキシブル配線基板１７の基材に対して高い親和性を有することが好ましい。また、補強材１５の弾性が低いと、フレキシブル配線基板１７の曲げにより補強材１５が割れる虞があるため、補強材１５はフレキシブル配線基板１７の曲げに耐えうる弾性を有することが好ましい。
【００３１】
補強材１５は金属腐食性がないか、または低いものを用いる。フレキシブル配線基板１７の周辺部には金属配線が多数存在するため、この金属配線が腐食して接触不良となることを防ぐためである。侵食度が０．０３ｍｍ／ｙｒ以下の補強材１５を用いることが好ましい。
【００３２】
補強材１５の熱伝導率が低いと補強材１５で覆われたフレキシブル配線基板１７の
熱分布が不均一となり、フレキシブル配線基板１７にたわみやねじれが生じる虞がある。フレキシブル配線基板１７のストレスを軽減するために補強材１５の熱伝導率は高いことが好ましい。具体的には空気の熱伝導率０．０２４１／（ｍ・Ｋ）よりも高いことが好ましい。補強材１５の熱伝導率が空気よりも高い場合には，フレキシブル配線基板１７に実装されたドライバＩＣ（図示せず）の放熱効果を高めることも可能となる。更に、ＡＣＦ１９との圧着は熱により行う場合が多いため、補強材１５の熱伝導率が高ければ、フレキシブル配線基板１７の剥がれを防止することもできる。
【００３３】
補強材１５の熱膨張係数とフレキシブル配線基板１７の基材の熱膨張係数との差が
大きい場合には、熱膨張量の差によりフレキシブル配線基板１７にたわみやねじれが生じる虞がある。これを抑制するため、反り量Ｃ（下記数式（１））がフレキシブル配線基板１７の有効長の５％以下であることが好ましい。なお、フレキシブル配線基板１７の有効長とは、フレキシブル配線基板１７の全長から、表示セル１０との圧着部分（ＡＣＦ１９の設けられた部分）および取付基板４０との圧着部分を除いた長さ、またはフレキシブル配線基板１７の全幅のいずれかのうち短い方の長さのことをいう。なお、数式（１）においてＥ1はフレキシブル基板１７のヤング率，Ｅ2は補強材１５のヤング率，α1はフレキシブル基板１７の熱膨張係数，α2は補強材１５の熱膨張係数，ΔＴは表示装置１を使用する際の最高温度と室温の差，ｈは補強材１５の平均の厚さとフレキシブル基板１７の平均の厚さの和，Ｌはフレキシブル基板１７の有効長のうち、補強材１５と重なる部分の長さである。
【数１】
2012083492.tif 000003
【００３４】
［表示装置１の製造方法］
上記のような表示装置１は、例えば次のようにして製造することができる。
【００３５】
まず、表示セル１０を作製する。配線領域１３に電極１４が設けられた下部基板１１と、カラーフィルタ（図示せず）を有する上部基板１２とにより液晶層（図示せず）をシール剤で封止する。その後、上部基板１２の表面側および下部基板１１の裏面側の面に、偏光板（図示せず）を貼り合わせる。
【００３６】
次いで、端部を除き配線パターンがソルダーレジスト２０で保護されたフレキシブ
ル配線基板１７と配線領域１３の電極１４との間にＡＣＦ１９を配置し、熱圧着により電極１４とフレキシブル配線基板１７との電気的な接続を行う。
【００３７】
補強材１５は、例えば光硬化性樹脂組成物からなる。光硬化性樹脂組成物は、例え
ばポリウレタンアクリレートやイソボルニルアクリレート等の光反応性アクリレート材料と、光重合開始剤とを主剤として、その他、増感剤，可塑剤，透明粒子等の添加剤を加えて調製する。
【００３８】
光硬化性樹脂組成物を調製した後、上述のように表示セル１０に接続したフレキシ
ブル配線基板１７の表面に光硬化性樹脂組成物を所定量滴下する。ＡＣＦ１９により表示セル１０に接続されている端部の近傍に光硬化性樹脂組成物を滴下することにより、光樹脂組成物がフレキシブル配線基板１７の表面およびフレキシブル配線基板１７の側面を介し配線領域１３に設けられる。このとき光樹脂組成物がフレキシブル配線基板１７を間にしてＡＣＦ１９を覆うように滴下量を調整する。
【００３９】
次いで、この光樹脂組成物に対し、紫外線または可視光を照射して樹脂組成物を硬化させる。紫外線または可視光は、使用する光重合開始剤に応じて選択する。これにより補強材１５が形成される。
【００４０】
最後に、上記のようにして作製した表示セル１０を、バックライトユニット３０と
共に外装部材（図示せず）内に設置することにより、表示装置１が完成する。
【００４１】
［表示装置１の作用・効果］
この表示装置１では、バックライトユニット３０からの光は表示セル１０に入射する。入射光は、フレキシブル配線基板１７を通じて電極１４に供給される信号に基づいて、画素毎に変調されつつ液晶層を透過する。液晶層を透過した光は、カラーフィルタ（図示せず）を有する上部基板１２を通過することにより、カラーの表示光として上部基板１２の外側へ取り出される。
【００４２】
本実施の形態の表示装置１では、フレキシブル配線基板１７の表面に、ＡＣＦ１９
を覆う形状で補強材１５を設けるようにしたので、フレキシブル配線基板１７に生じる曲げを小さくし、フレキシブル配線基板１７の破断を抑制することができる。よって、表示装置１の信頼性を向上させることが可能となる。
【００４３】
＜実施例＞
次に、本発明の表示装置１についての具体的な実施例を挙げて説明する。
【００４４】
（実施例）
実施例として、補強材１５にポリイミド樹脂を使用した。これをフレキシブル配線
基板１７の表面にＡＣＦ１９を覆うよう約２０μｍの厚さで設け、表示装置１を作製した。このフレキシブル配線基板１７を９０度屈曲させ、±０．２ｍｍのねじれの振幅を変化量として与えた。
【００４５】
（比較例）
比較例として、フレキシブル配線基板１７に補強材１５を設けずに、表示装置を作
製した。このフレキシブル配線基板１７を９０度屈曲させ、±０．２ｍｍのねじれの振幅を変化量として与えた。
【００４６】
このようにして、フレキシブル配線基板１７の配線パターンが破断に至るまでの振
幅回数を計測した。その結果、補強材１５を設けない比較例では約３, ５００回であったのに対し、実施例では約１０, ０００回であった。この結果より、補強材１５をフレキシブル配線基板１７の表面に設けることにより、破断が抑制されることが確認できた。
【００４７】
＜変形例１＞
図６は上記実施の形態の変形例１に係る表示装置１Ａの側断面図を表したものであ
る。この表示装置１Ａでは、フレキシブル配線基板１７の裏面のＡＣＦ１９とソルダーレジスト２０との間に間隙１７Ｂが設けられている。また、フレキシブル配線基板１７は、フレキシブル配線基板１７を間にして表面の補強材１５が設けられた領域と裏面のソルダーレジスト２０が設けられた領域とが重なる重複領域１７Ａを有している。重複領域１７Ａの長さは例えば約３００μｍ程度である。その点を除き、表示装置１Ａは上記実施の形態の表示装置１と同様の構成を有し、その作用および効果も同様である。
【００４８】
フレキシブル配線基板１７において、ＡＣＦ１９とソルダーレジスト２０との間に間隙１７Ｂが存在すると、間隙１７Ｂの部分に応力が集中しやすい。これに対して、表示装置１Ａでは、フレキシブル配線基板１７を間にして補強材１５が設けられた部分とソルダーレジスト２０が設けられた部分とが重なる重複領域１７Ａを有する。即ち、最も応力の集中しやすいフレキシブル配線基板１７の裏面の間隙１７Ｂの部分を、表面から補強材１５が覆っているため、フレキシブル配線基板１７に生じる曲げを小さくし、フレキシブル配線基板１７の破断を抑制することができる。
【００４９】
この表示装置１Ａは、例えば補強材１５として樹脂組成物を用いた場合には、フレキシブル配線基板１７に滴下する樹脂組成物の量を増やすことで、上記実施の形態の表示装置１と同様にして作製することができる。
【００５０】
＜変形例２＞
図７は上記実施の形態の変形例２に係る表示装置１Ｂの側断面図を表したものである。この表示装置１Ｂでは、上部基板１２の側面から下部基板１１の配線領域１３にかけて防湿材１８が設けられている。補強材１５はフレキシブル配線基板１７の表面と共に、この防湿材１８を覆うように形成されている。その点を除き、表示装置１Ｂは上記実施の形態の表示装置１と同様の構成を有し、その作用および効果も同様である。
【００５１】
液晶表示セルのような表示セルでは液晶層の劣化を防ぐため防湿処理が必要となる。
図８は、防湿材１１８を有する従来の表示装置１００の側面図である。液晶表示セルでは、図８に示したように上部基板１２と下部基板１１との間の液晶層に水分が入らないよう上部基板１２と下部基板１１との間に防湿材１１８が設けられる場合が多い。また、ＡＣＦ１１９によるフレキシブル配線基板１１７と表示セル１１０との接続部に水分が浸入しないよう、この接続部に防湿材１１８が設けられる場合もある。
【００５２】
図７に示したように、防湿材１８が表示セル１０に設けられていても、防湿材１８
の上から補強材１５をＡＣＦ１９を覆うようにフレキシブル配線基板１７の表面に設け、フレキシブル配線基板１７の破断を抑制することができる。
【００５３】
表示装置１Ｂは、上記実施の表示装置１と同様にして作製することができる。よっ
て、防湿材１８が必要とされる部分に補強材１５を設けることは容易であり、補強材１５が防湿性であれば防湿材１８を設けることなく表示装置１Ｂを作製することができる。即ち、製造工程を簡略化することが可能となる。例えば、吸水率が１０％以下の補強材１５を用いることで、このような製造工程の簡略化を実現できる。
【００５４】
＜第２の実施の形態＞
図９は、本発明の第２の実施の形態に係る表示装置２の側面図である。この表示装置２は、上部基板１２の表面に前面板１６を有し、また、補強材１５は上部基板１２の表面側から上部基板１２の側面を介してフレキシブル配線基板１７の表面まで連続して設けられている。この点において、表示装置２は上記第１の実施の形態の表示装置１と異なる。なお、本実施の形態では、上記第１の実施の形態で説明した表示装置１と前面板１６を有する点において異なるものの、その他の各部の機能および構成材料は同様であるため、便宜上同一の符号を付し、適宜説明を省略する。
【００５５】
前面板１６は、補強材１５により上部基板１２に固定されている。前面板１６は、
表示セル１０の表面保護，意匠性や機能性向上を目的として設けられるものであり、例えばカバー基板（化粧板）やタッチパネル等である。前面板１６は例えばガラス基板やアクリル板等の透明な基板からなり、表面または裏面に、反射防止膜，遮光膜または視野角制御膜等の光学層を設けてもよい。
【００５６】
補強材１５は、上部基板１２の表面から上部基板１２の側面を介してフレキシブル
配線基板１７の表面まで設けられており、フレキシブル配線基板１７の破断を抑制すると共に、前面板１６を表示セル１０に固定する。即ち、補強材１５は、フレキシブル配線基板１７を補強する補強材としての機能と前面板１６を表示セル１０に固定する接着材としての機能を有する。これにより、前面板１６を備えた表示装置２において、製造工程および用いる材料の種類を増やすことなくフレキシブル配線基板１７の破断を抑制し、表示装置２の信頼性を向上させることができる。なお、図９では、上部基板１２の表面からフレキシブル配線基板１７の表面まで補強材１５が連続して設けられているが、前面板１６の表示セル１０への固定およびフレキシブル配線基板１７の補強を行うことができれば、途中が途切れていてもよい。
【００５７】
補強材１５は、前面板１６を接着するため、前面板１６の構成材料に対して高い密
着性を有することが好ましい。
【００５８】
また、表示装置２では上部基板１２の表示領域に補強材１５が存在することとなるため、補強材１５は透明であるか、高い透過性を有することが好ましい。
【００５９】
補強材１５は、例えば樹脂材料からなるが、上記第１の実施の形態と同様に補強材
１５を構成する樹脂組成物は濡れ性が高いことが好ましい。図１０に補強材１５を濡れ性の高い樹脂組成物により構成した場合の表示装置２の側断面図を示した。
【００６０】
図１１は表示装置２が防湿材１８を備えた場合の側断面図を表すものである。防湿
材１８が存在する場合であっても、フレキシブル配線基板１７の表面および上部基板１２と前面板１６と間に補強材１５を設けることで、フレキシブル配線基板１７の破断を抑制すると共に、表示セル１０に前面板１６を固定することができる。図１２には防湿材１８を有し、補強材１５が濡れ性の高い樹脂材料からなる場合の表示装置２の側断面図を示した。上記変形例２で説明したように、補強材１５に防湿性のものを用いることにより、防湿材１８を設けず表示装置２を作製することができる。
【００６１】
上記のような表示装置２は例えば次のようにして製造することができる。
【００６２】
まず、上記第１の実施の形態の表示装置１と同様にして表示セル１０を作製し、フレキシブル配線基板１７を表示セル１０に接続する。
【００６３】
補強材１５は、上記第１の実施の形態の表示装置１と同様に例えば光硬化性樹脂組
成物からなる。光硬化性樹脂組成物を調製した後、上記のように作製した表示セル１０の上部基板１２の表面に光硬化性樹脂組成物を所定量滴下する。滴下のほか、印刷法を用いてもよい。前面板１６をこの表示セル１０に対し水平に保持した状態で下降させ、位置決め昇降機構によって前面板１６を所定の位置に固定する。ここで用いる光硬化性樹脂組成物の量を、前面板１６と表示セル１０との接合のみ行う場合よりも僅かに多くすることで、光硬化性樹脂組成物は前面板１６と表示セル１０との接触面から上部基板１２の側面をつたって、フレキシブル配線基板１７の表面にまで到達する。
【００６４】
この上部基板１２と前面板１６との間およびフレキシブル配線基板１７の表面に設けられた樹脂組成物に対し、紫外線または可視光を照射して樹脂組成物を硬化させる。紫外線または可視光は、使用する光重合開始剤に応じて選択する。例えば光照射と同時に光ファイバー等を用いて、上部基板１２と前面板１６との間およびフレキシブル配線基板１７の表面に設けられた樹脂組成物の外方側面側から光を直接照射してもよい。
【００６５】
最後に、上記のようにして前面板１６を備えた表示セル１０を、バックライトユニ
ット３０と共に、外装部材（図示せず）内に設置することにより、表示装置２が完成する。
【００６６】
以上、実施の形態および変形例を挙げて本発明を説明したが、本発明は上記実施の
形態等に限定されるものではなく、種々の変形が可能である。例えば、第２の実施の形態では補強材１５が、前面板１６を表示セル１０に固定する機能およびフレキシブル配線基板１７の破断を抑制する機能の両方を備えた場合を例示したが、図１３に示したように前面板１６を接着材２１により表示セル１０に固定した後、補強材１５をフレキシブル配線基板１７の表面に設けてもよい。この場合、補強材１５は、上部基板１２の厚みを大きく超えない程度の厚さで形成することが好ましい。更に、図１４に示したように、補強材１５をフレキシブル配線基板１７の表面に設けた後、接着材２１により前面板１６を表示セル１０に固定してもよい。このような場合では、用いる材料の種類および製造工程は増加するものの、補強材１５に使用する材料の選択の幅を広げることができる。また、補強材１５により接着材２１とフレキシブル配線基板１７との密着性および濡れ性を補うことも可能となる。
【００６７】
また、例えば上記実施の形態等では、上部基板１２と下部基板１１との間に液晶層を設けた液晶表示装置を例示したが、配線部分の構成が同様であればプラズマ表示装置や有機電界発光表示装置等でもよい。なお、図７，図９〜図１４ではＡＣＦ１９とソルダーレジスト２０との間に間隙１７Ｂを有する場合を示したが、図１のように間隙１７Ｂのない場合についても適用できることはいうまでもない。
【符号の説明】
【００６８】
１，１Ａ，１Ｂ，２…表示装置、１０…表示セル、１１…下部基板、１２…上部基板、１４…電極、１５…補強材、１６…前面板、１７…フレキシブル配線基板、１９…ＡＣＦ、２０…ソルダーレジスト
【図１】
2012083492.tif 000004
【図２】
2012083492.tif 000005
【図３】
2012083492.tif 000006
【図４】
2012083492.tif 000007
【図５】
2012083492.tif 000008
【図６】
2012083492.tif 000009
【図７】
2012083492.tif 000010
【図８】
2012083492.tif 000011
【図９】
2012083492.tif 000012
【図１０】
2012083492.tif 000013
【図１１】
2012083492.tif 000014
【図１２】
2012083492.tif 000015
【図１３】
2012083492.tif 000016
【図１４】
2012083492.tif 000017